(57)【特許請求の範囲】
【請求項１】
状態の確認対象である機器に設けられ、当該機器を視覚的に特定するための目印であるマーカと、
該マーカを撮像してマーカ画像を出力する携帯型撮像装置と、
前記機器の動作情報を記憶する記憶装置と、
前記携帯型撮像装置で撮像された前記マーカ画像を予め記憶しているマーカ画像と比較することにより前記機器を特定し、当該特定された機器の動作情報を前記記憶装置から読み出して支援情報として提供する支援情報提供装置と、
前記支援情報を表示する携帯型表示装置と
を具備することを特徴とする機器状態確認システム。
【請求項２】
前記携帯型撮像装置及び前記携帯型表示装置が一体の携帯型装置として設けられ、
前記記憶装置及び前記支援情報提供装置が据置型装置として設けられ、
前記携帯型装置と前記据置型装置とは通信可能に接続されている
ことを特徴とする請求項１に記載の機器状態確認システム。
【請求項３】
前記支援情報は、前記携帯型装置と前記据置型装置との通信接続状態を付加した情報であることを特徴とする請求項２に記載の機器状態確認システム。
【請求項４】
前記支援情報提供装置は、前記マーカ画像に前記特定された機器の動作情報を付加した支援画像を前記支援情報として提供することを特徴とする請求項２又は３に記載の機器状態確認システム。
【請求項５】
前記支援情報は、前記特定された機器が異常な動作状態にある場合には、前記特定された機器が正常な動作状態にある場合とは異なる態様の画像であることを特徴とする請求項３又は４に記載の機器状態確認システム。
【請求項６】
前記携帯型装置は、前記特定された機器に対する動作指示を受け付ける指示入力手段を備え、当該指示入力手段が受け付けた動作指示を前記据置型装置に送信して前記特定された機器を動作させることを特徴とする請求項２〜５のいずれか一項に記載の機器状態確認システム。
【請求項７】
前記指示入力手段は、マイクロフォンであり、
前記携帯型装置は、前記マイクロフォンが捉えた音声指示を音声認識することにより前記動作指示として前記据置型装置に送信することを特徴とする請求項６に記載の機器状態確認システム。
【請求項８】
前記携帯型装置は、ウェラブルデバイスであることを特徴とする請求項２〜７のいずれか一項に記載の機器状態確認システム。
【請求項９】
前記機器は、所定の搬送現場で搬送作業を行う無人搬送車であり、
前記記憶装置は、前記無人搬送車を制御する制御装置であることを特徴とする請求項１〜８のいずれか一項に記載の機器状態確認システム。
【発明の詳細な説明】
【技術分野】
【０００１】
本発明は、機器状態確認システムに関する。
【背景技術】
【０００２】
例えば、下記特許文献１には無人搬送車を用いた搬送システムの一例が開示されている。この搬送システムは、搬送現場に設定されたの搬送経路上を走行する無人搬送車を、搬送現場とは異なる場所に設置された管制制御装置によって管制制御するものである。この管制制御装置は、一種のコンピュータであり、専用の管制制御プログラムに基づいて無人搬送車の動作を制御すると共に、無人搬送車の動作状態を専用のモニタに表示する。すなわち、管制制御装置は、無線通信手段等を介して無人搬送車と通信可能に接続されており、上記無線通信手段等を用いることにより搬送現場の無人搬送車を遠隔的に管制制御する。
【先行技術文献】
【特許文献】
【０００３】
【特許文献１】特開２００８−１８４３２９号公報
【発明の概要】
【発明が解決しようとする課題】
【０００４】
ところで、上述した搬送システムを管理している管理担当者は、無人搬送車を含む搬送システムの構成機器の動作状態を管制制御装置のモニタで確認することにより、搬送システムの全体的な稼働状態を監視する。そして、管理担当者は、任意の構成機器の異常をモニタ上で確認すると、異常機器の設置場所に出向いて当該異常機器の異常を解消させて搬送システムを正常稼働状態に復旧させる。例えば無人搬送車が何らかの原因で非常停止した場合、管理担当者は、搬送現場における停止位置に出向いて無人搬送車（異常搬送車）の異常原因を特定し、無人搬送車を正常状態に復帰させる。
【０００５】
しかしながら、異常機器の異常原因の特定や異常機器の復帰作業には、管制制御装置のモニタに表示される異常機器の動作状態等、異常機器に関する情報を参照する必要がある。すなわち、管理担当者は、異常機器の設置場所と管制制御装置の設置場所との間を１あるいは複数回往復しつつ異常機器を正常状態に復帰させることになるが、このような異常機器の復帰作業は極めて煩雑であり、作業効率が悪い。
【０００６】
本発明は、上述した事情に鑑みてなされたものであり、機器状態を確認する際の作業効率を向上させることを目的とする。
【課題を解決するための手段】
【０００７】
上記目的を達成するために、本発明では、機器状態確認システムに係る第１の解決手段として、状態の確認対象である機器に設けられたマーカと、該マーカを撮像してマーカ画像を出力する携帯型撮像装置と、前記機器の動作情報を記憶する記憶装置と、前記マーカ画像に基づいて前記機器を特定し、当該特定された機器（特定機器）の動作情報を前記記憶装置から読み出して支援情報として提供する支援情報提供装置と、前記支援情報を表示する携帯型表示装置とを具備する、という手段を採用する。
【０００８】
本発明では、機器状態確認システムに係る第２の解決手段として、上記第１の解決手段において、前記携帯型撮像装置及び前記携帯型表示装置が一体の携帯型装置として設けられ、前記記憶装置及び前記支援情報提供装置が据置型装置として設けられ、前記携帯型装置と前記据置型装置とは通信可能に接続されている、という手段を採用する。
【０００９】
本発明では、機器状態確認システムに係る第３の解決手段として、上記第２の解決手段において、前記支援情報は、前記携帯型装置と前記据置型装置との通信接続状態を付加した情報である、という手段を採用する。
【００１０】
本発明では、機器状態確認システムに係る第４の解決手段として、上記第２又は第３の解決手段において、前記支援情報提供装置は、前記マーカ画像に前記特定機器の動作情報を付加した支援画像を前記支援情報として提供する、という手段を採用する。
【００１１】
本発明では、機器状態確認システムに係る第５の解決手段として、上記第３又は第４の解決手段において、前記支援情報は、前記特定機器が異常な動作状態にある場合には、前記特定機器が正常な動作状態にある場合とは異なる態様の画像である、という手段を採用する。
【００１２】
本発明では、機器状態確認システムに係る第６の解決手段として、上記第２〜第５のいずれかの解決手段において、前記携帯型装置は、前記特定機器に対する動作指示を受け付ける指示入力手段を備え、当該指示入力手段が受け付けた動作指示を前記据置型装置に送信して前記特定機器を動作させる、という手段を採用する。
【００１３】
本発明では、機器状態確認システムに係る第７の解決手段として、上記第６の解決手段において、前記指示入力手段は、マイクロフォンであり、前記携帯型装置は、前記マイクロフォンが捉えた音声指示を音声認識することにより前記動作指示として前記据置型装置に送信する、という手段を採用する。
【００１４】
本発明では、機器状態確認システムに係る第８の解決手段として、上記第２〜第７のいずれかの解決手段において、前記携帯型装置は、ウェラブルデバイスである、という手段を採用する。
【００１５】
本発明では、機器状態確認システムに係る第９の解決手段として、上記第１〜第８のいずれかの解決手段において、前記機器は、所定の搬送現場で搬送作業を行う無人搬送車であり、前記記憶装置は、前記無人搬送車を制御する制御装置である、という手段を採用する。
【発明の効果】
【００１６】
本発明によれば、携帯型撮像装置で機器に設けられたマーカを撮像して得られたマーカ画像に基づいて上記機器を特定し、当該特定された機器（特定機器）の動作情報を支援情報として携帯型表示装置に表示するので、特定機器の機器状態を確認する担当者は、特定機器の傍に居ながらにして特定機器の動作情報を確認することが可能である。すなわち、本発明によれば、特定機器の動作情報の確認が極めて容易であり、よって機器状態の確認における作業効率を従来よりも向上させることができる。
【図面の簡単な説明】
【００１７】
【図１】本発明の一実施形態に係る機器状態確認システムの機能構成を示すブロック図である。
【図２】本発明の一実施形態におけるウェラブルデバイス１（携帯型装置）の機能構成を示すブロック図である。
【図３】本発明の一実施形態に係る機器状態確認システムの動作を示すフローチャートである。
【図４】本発明の一実施形態における支援画像の一例を示す模式図である。
【図５】本発明の一実施形態における支援画像の基本遷移を示す模式図である。
【図６】本発明の一実施形態のマーカ認識後における支援画像の遷移を示す模式図である。
【発明を実施するための形態】
【００１８】
以下、図面を参照して、本発明の一実施形態について説明する。
本実施形態に係る機器状態確認システムは、各種の搬送機器から構成される搬送設備に適用されるものである。この搬送設備は、例えば既設の搬送経路に沿って走行（移動）する複数の無人搬送車Ｈ1〜Ｈnを用いて被搬送物を所定場所（荷受場所）から目的場所（荷渡場所）まで搬送するものである。
【００１９】
本実施形態に係る機器状態確認システムは、図１に示すように、このようなｎ台（ｎ：自然数）の無人搬送車Ｈ1〜Ｈn（機器）を動作状態の確認対象とするものであり、ｎ個のマーカＭ1〜Ｍn、ウェラブルデバイス１（携帯型装置）、ｍ個（ｍ：自然数）の無線ＬＡＮアクセスポイントＡＰ1、ＡＰ2〜ＡＰm、ＬＡＮハブ２、また搬送制御装置３（据置型装置）を具備している。なお、ＬＡＮは「Local Area Network」である。
【００２０】
これら各構成要素のうち、ｎ個のマーカＭ1〜Ｍn、ウェラブルデバイス１、ｍ個の無線ＬＡＮアクセスポイントＡＰ1、ＡＰ2〜ＡＰmは、搬送現場に設けられ、一方、ＬＡＮハブ２及び搬送制御装置３は、搬送現場とは異なる管理事務所に設けられている。搬送現場は、特に限定されないが、所定の荷物を搬送することを作業の１つとして含むと共に床面積が比較的広い建屋内フロアーである。一方、管理事務所は、搬送設備を監視する管理担当者が依拠する部屋である。
【００２１】
ｎ台の無人搬送車Ｈ1〜Ｈnは、無線ＬＡＮアクセスポイントＡＰ1、ＡＰ2〜ＡＰm及びＬＡＮハブ２を介して搬送制御装置３と無線通信可能に接続されている。このようなｎ台の無人搬送車Ｈ1〜Ｈnは、無線ＬＡＮアクセスポイントＡＰ1、ＡＰ2〜ＡＰm及びＬＡＮハブ２を介して搬送制御装置３から順次受信する搬送指示に基づいて被搬送物の搬送作業を行う。すなわち、上記搬送指示には、荷受場所、荷渡場所及び搬送経路等、搬送作業に必要な各種情報が含まれており、ｎ台の無人搬送車Ｈ1〜Ｈnは、このような搬送指示に基づいて搬送経路に沿って被搬送物を荷受場所から荷渡場所まで搬送する。
【００２２】
ここで、ｎ台の無人搬送車Ｈ1〜Ｈnは、荷受場所から荷渡場所まで搬送経路に沿って自動走行するが、自らの故障や予期せぬ物体に衝突した場合等、異常事態が発生すると非常停止する。例えば、ｎ台の無人搬送車Ｈ1〜Ｈnは、１つの搬送指示を受信すると自動走行モードに移行して搬送作業を行うが、異常事態が発生すると、自動走行モードが解除されて異常モードとなり非常停止する。そして、異常モードとなった無人搬送車（異常搬送車）は、搬送制御装置３から異常モードの解除指示が入力されるまで走行を開始することはない。このような異常搬送車は、本実施形態における特定機器である。
【００２３】
ｎ個のマーカＭ1〜Ｍnは、このようなｎ台の無人搬送車Ｈ1〜Ｈnを視覚的に特定するための目印である。すなわち、無人搬送車Ｈ1には当該無人搬送車Ｈ1に固有に設定されたマーカＭ1が、無人搬送車Ｈ2には当該無人搬送車Ｈ2に固有に設定されたマーカＭ2が、また無人搬送車Ｈnには当該無人搬送車Ｈnに固有に設定されたマーカＭnが外部から視認可能に各々張設されている。このようなｎ個のマーカＭ1〜Ｍnの形態については特に限定されないが、例えば一次元バーコードやＱＲコード（登録商標）、ＡＲコード等の各種二次元バーコードを採用することができる。
【００２４】
ウェラブルデバイス１は、人体の特定部位に装着可能な携帯型装置であり、また携帯型撮像装置と携帯型表示装置が一体化されたタイプの携帯型装置である。このようなウェラブルデバイス１は、人体と係合する係合部（図示略）を機構的な構成要素として備えている。より具体的には、このウェラブルデバイス１は、メガネをかける要領で人体の頭部に装着して使用するスマートグラスあるいはヘッド・マウント・ディスプレイ（ＨＭＤ）であり、メガネレンズに相当する部位、つまりウェラブルデバイス１の被装着者の目に対向する不透明なレンズ部が画像表示面としても機能する。なお、以下ではウェラブルデバイス１が搬送設備の携帯者が例えば搬送設備の管理担当者である場合について説明する。
【００２５】
このようなスマートグラスあるいはヘッド・マウント・ディスプレイ（ＨＭＤ）は、管理担当者の手及び腕の自由な動きを可能としつつ、周囲状況（周囲映像）と所定の付加映像との同時視認を可能とする携帯型装置である。なお、人体に装着可能な携帯型装置については、ウェラブルデバイスに代えて、ウェラブル端末あるいはウェラブルコンピュータと言われることがある。
【００２６】
また、このようなウェラブルデバイス１は、図２（ａ）に示すように、電気的な機能構成要素として通信部１ａ、記憶部１ｂ、撮像部１ｃ、集音部１ｄ（指示入力手段）、表示部１ｅ及び演算部１ｆを具備している。通信部１ａは、演算部１ｆによる制御の下で、ｍ個の無線ＬＡＮアクセスポイントＡＰ1、ＡＰ2〜ＡＰmのいずれかとの間で無線ＬＡＮに準拠した無線通信を行う。
【００２７】
記憶部１ｂは、不揮発性の記憶領域及び揮発性記憶領域を備えるものであり、演算部１ｆが実行する携帯機器制御プログラム及び当該携帯機器制御プログラムの実行に必要な各種データを記憶する。また、この記憶部１ｂは、上述したｎ個のマーカＭ1〜Ｍnの画像をマーカ画像１ｇとして記憶する。
【００２８】
撮像部１ｃは、ウェラブルデバイス１の周囲映像を撮像するカメラであり、上記周囲映像の信号（映像信号）を演算部１ｆに出力する。この撮像部１ｃは、携帯型撮像装置に相当する機能構成要素である。集音部１ｄは、ウェラブルデバイス１の周囲音を捉えるマイクロフォンであり、上記周囲音の信号（音声信号）を演算部１ｆに出力する。表示部１ｅは、演算部１ｆによる制御の下で、上述したメガネ部に上記付加画像を表示する。この表示部１ｅは、携帯型表示装置に相当する機能構成要素である。
【００２９】
演算部１ｆは、上記制御プログラムを実行することにより、通信部１ａ、記憶部１ｂ、撮像部１ｃ、集音部１ｄ及び表示部１ｅを統括的に制御する制御機能部であり、ＣＰＵ（Central Processing Unit）、内部メモリ並びに通信部１ａ、記憶部１ｂ、撮像部１ｃ、集音部１ｄ及び表示部１ｅと信号の授受を行う各種インターフェース回路を備えている。
【００３０】
ここで、上記携帯機器制御プログラムは、ウェラブルデバイス１の動作を統括的に制御するための部分機能として、撮像部１ｃから入力される映像信号に所定の画像処理（画像認識処理）を施すことにより上記マーカＭ1〜Ｍnを認識する画像認識機能、また集音部１ｄから入力される音声信号に所定の音声処理（音声認識処理）を施すことにより、管理担当者の音声指示を認識する音声認識機能を含むものである。
【００３１】
すなわち、演算部１ｆは、撮像部１ｃから入力される映像信号及び集音部１ｄから入力される音声信号に加えて、通信部１ａが無線ＬＡＮアクセスポイントＡＰ1、ＡＰ2〜ＡＰmの何れか及びＬＡＮハブ２を介して搬送制御装置３から受信する各種データを携帯機器制御プログラムに基づいて処理することにより、ウェラブルデバイス１の動作を統括的に制御する。なお、このようなウェラブルデバイス１の動作の詳細については、本実施形態に係る機器状態確認システムの動作として後述する。
【００３２】
なお、ウェラブルデバイス１の動作モードには、「通常モード」と「マイクモード」とがある。通常モードは、音声認識処理を利用しない動作モード、つまり管理担当者の音声指示を受け付けない動作モードである。一方、マイクモードは、音声認識処理を利用する動作モード、つまり管理担当者の音声指示を受け付ける動作モードである。演算部１ｆは、集音部１ｄから特定の音声（開始コマンド）が入力されると、動作モードを「通常モード」から「マイクモード」に切り替え、他の特定の音声（終了コマンド）が入力されると、動作モードを「マイクモード」から「通常モード」に切り替える。
【００３３】
このようなウェラブルデバイス１によれば、管理担当者は、ウェラブルデバイス１のレンズ部で撮像部１ｃが撮像した周囲状況（周囲映像）と表示部１ｅによってレンズ部に表示された付加映像を支援画像（支援情報）として同時に視認することが可能である。
【００３４】
ｍ個の無線ＬＡＮアクセスポイントＡＰ1、ＡＰ2〜ＡＰmは、ｎ台の無人搬送車Ｈ1〜Ｈnと搬送制御装置３との通信をＬＡＮハブ２と共に中継する無線中継装置であり、ｎ台の無人搬送車Ｈ1〜Ｈnが走行する搬送現場の各所に離散的に設けられている。ｍ個の無線ＬＡＮアクセスポイントＡＰ1、ＡＰ2〜ＡＰmは、各々にｎ台の無人搬送車Ｈ1〜Ｈnとの間で無線ＬＡＮに準拠した無線通信を行う一方、ＬＡＮハブ２との間で有線ＬＡＮに準拠した有線通信を行う。すなわち、各無線ＬＡＮアクセスポイントＡＰ1、ＡＰ2〜ＡＰmは、ｍ個が離散的に配置されることによって、搬送現場の全領域をｎ台の無人搬送車Ｈ1〜Ｈnと搬送制御装置３との通信可能エリアとする。
【００３５】
ＬＡＮハブ２は、ｍ個の無線ＬＡＮアクセスポイントＡＰ1、ＡＰ2〜ＡＰm及び搬送制御装置３とＬＡＮケーブルで接続されており、ｎ台の無人搬送車Ｈ1〜Ｈnと搬送制御装置３との通信をｍ個の無線ＬＡＮアクセスポイントＡＰ1、ＡＰ2〜ＡＰmと共に中継するスイッチングハブ（Switching Hub）である。すなわち、上述した搬送現場と管理事務所とは、ＬＡＮケーブルによって通信可能に接続されている。
【００３６】
搬送制御装置３は、上記ｍ個の無線ＬＡＮアクセスポイントＡＰ1、ＡＰ2〜ＡＰm及びＬＡＮハブ２を介してｎ台の無人搬送車Ｈ1〜Ｈnと通信を行うことにより、当該ｎ台の無人搬送車Ｈ1〜Ｈnの動きを集中的に制御する。この搬送制御装置３は、例えば所定の運搬制御プログラムに基づいてｎ台の無人搬送車Ｈ1〜Ｈnを制御する制御用コンピュータであり、図２（ｂ）に示すように通信部３ａ、記憶部３ｂ（記憶装置）、操作部３ｃ、表示部３ｄ及び演算部３ｅを具備している。
【００３７】
通信部３ａは、演算部３ｅによる制御の下で、ＬＡＮハブ２と有線ＬＡＮに準拠した有線通信を行う。記憶部３ｂは、不揮発性の記憶領域及び揮発性記憶領域を備えるものであり、演算部３ｅが実行する搬送制御プログラム及び当該搬送制御プログラムの実行に必要な各種データを記憶する。
【００３８】
また、通信部３ａが記憶する上記各種データには、搬送現場における荷物の搬送状況を示す搬送情報３ｆが含まれている。この搬送情報３ｆは、ｎ台の無人搬送車Ｈ1〜Ｈnの動作状態を示す情報であり、ｎ台の無人搬送車Ｈ1〜Ｈnの動作モードや走行位置等が含まれる。搬送現場における荷物の搬送状況は時々刻々と変化するものであるが、記憶部３ｂには上記搬送情報３ｆが順次更新されて記憶される。したがって、ある時点において記憶部３ｂに記憶されている搬送情報３ｆは、ｎ台の無人搬送車Ｈ1〜Ｈnの最新の動作状態を示すものである。
【００３９】
操作部３ｃは、キーボードやマウス等のポインティングデバイスであり、管理担当者の動作指示を受け付けて演算部３ｅに出力する。表示部３ｄは、ｎ台の無人搬送車Ｈ1〜Ｈnの動作モードや走行位置等、搬送現場における荷物の搬送状況を示す搬送監視画面を表示する。
【００４０】
演算部３ｅは、上記搬送制御プログラムを実行することにより、通信部３ａ、記憶部３ｂ、操作部３ｃ及び表示部３ｄを統括的に制御する制御機能部であり、ＣＰＵ（Central Processing Unit）、内部メモリ並びに通信部３ａ、記憶部３ｂ、操作部３ｃ及び表示部３ｄと信号の授受を行う各種インターフェース回路を備えている。
【００４１】
ここで、上記搬送制御プログラムは、ｎ台の無人搬送車Ｈ1〜Ｈnを集中的に制御する主機能に加えて、上記付加映像の生成に必要な上記搬送情報３ｆをウェラブルデバイス１に提供する機能（搬送情報提供機能）を含むものである。なお、このように構成された搬送制御装置３の動作の詳細については、本実施形態に係る機器状態確認システムの動作として後述する。
【００４２】
また、このように構成された機器状態確認システムにおいて、ウェラブルデバイス１の通信部１ａ、記憶部１ｂ及び演算部１ｆ、無線ＬＡＮアクセスポイントＡＰ1〜ＡＰm、ＬＡＮハブ２並びに搬送制御装置３の通信部３ａ、記憶部３ｂ及び演算部３ｅは、互いに連携することにより、マーカ画像１ｇに基づいて異常搬送車（特定機器）を特定し、当該異常搬送車（特定機器）の搬送情報３ｆ（動作情報）を記憶部３ｂ（記憶装置）から読み出して支援画像（支援情報）として提供する支援情報提供装置を構成している。
【００４３】
次に、このように構成された機器状態確認システムの動作について、図３〜図６をも参照して詳しく説明する。
【００４４】
本実施形態の機器状態確認システムが適用される搬送設備では、搬送制御装置３が搬送制御プログラムに基づいてｍ個の無線ＬＡＮアクセスポイントＡＰ1、ＡＰ2〜ＡＰm及びＬＡＮハブ２を介してｎ台の無人搬送車Ｈ1〜Ｈnを制御することにより荷物の搬送が行われる。そして、このような搬送制御装置３によるｎ台の無人搬送車Ｈ1〜Ｈnの制御の中で、搬送制御装置３の記憶部３ｂにはｎ台の無人搬送車Ｈ1〜Ｈnの最新の動作状態が搬送情報３ｆとして保存される。
【００４５】
一方、ｎ台の無人搬送車Ｈ1〜Ｈnは動作モードが自動走行モードに設定されて荷物の搬送を行うが、ｎ台の無人搬送車Ｈ1〜Ｈnの中には、自らの故障や予期せぬ物体への接触等、異常事態に遭遇して非常停止するものが発生し得る。ｎ台の無人搬送車Ｈ1〜Ｈnは、異常事態に遭遇すると、動作モードが自動走行モードから異常モードに切り替えられて非常停止する。
【００４６】
このようにして非常停止した無人搬送車（異常搬送車）については、管理担当者が異常原因を確認して対策を施し、搬送制御装置３に復帰指示を入力することによって自動走行モードに復帰し、正常な搬送作業が可能な状態となる。本実施形態の機器状態確認システムは、このような管理担当者による異常原因の確認及び対策に際して、以下のように動作して効力を発揮する、なお、以下では異常搬送車（特定機器）が無人搬送車Ｈ1である場合について説明し、非常停止した無人搬送車Ｈ1を異常搬送車Ｈ1と記載する。
【００４７】
すなわち、上記異常原因の確認及び対策に際して、管理担当者は、管理事務所において搬送制御装置３の表示部３ｄに表示された搬送監視画面を参照することにより異常搬送車Ｈ1の停止位置を確認し、ウェラブルデバイス１を携帯して搬送現場における異常搬送車Ｈ1の停止位置に移動する。そして、管理担当者は、ウェラブルデバイス１を自らの頭部に装着し、当該ウェラブルデバイス１を介して異常搬送車Ｈ1を視認する。  
【００４８】
この結果、ウェラブルデバイス１は、異常搬送車Ｈ1に貼付されたマーカＭ1にフォーカスを設定する（ステップＳ1）。すなわち、ウェラブルデバイス１の演算部１ｆは、撮像部１ｃが捉えた異常搬送車Ｈ1の映像信号を画像認識処理することにより、異常搬送車Ｈ1の映像のうちマーカＭ1の部位を抽出する。そして、演算部１ｆは、異常搬送車Ｈ1から抽出した部位の画像が記憶部１ｂに予め記憶されたマーカ画像１ｇと一致するか否かを判断する（ステップＳ2）。
【００４９】
演算部１ｆは、このステップＳ2の判断結果が「Ｙｅｓ」の場合、つまり異常搬送車Ｈ1のマーカＭ1を検知すると、ウェラブルデバイス１の通信部１ａと搬送制御装置３の通信部３ａとの通信接続（通信リンク）が設定されているか否かを判断する（ステップＳ3）。演算部１ｆは、このようにしてマーカＭ1を検知することによって、状態の確認対象である異常搬送車Ｈ1を特定する。なお、ステップＳ2の判断結果が「Ｎｏ」の場合、つまり異常搬送車Ｈ1にマーカＭ1が検知されない場合には、上記ステップＳ1を繰り返すことにより、マーカＭ1の再検知を行う。
【００５０】
そして、演算部１ｆは、上記ステップＳ3の判断が「Ｎｏ」の場合、つまり上記通信接続（通信リンク）が設定されおらず、搬送制御装置３との通信が可能でない場合、表示部１ｅに「ネットワーク未接続」という付加画像を表示させ（ステップＳ4）、その上でステップＳ1の処理を繰り返す。一方、演算部１ｆは、上記ステップＳ3の判断が「Ｙｅｓ」の場合、つまり上記通信接続（通信リンク）が設定されていて搬送制御装置３との通信が可能な状態にある場合には、異常搬送車Ｈ1が異常発生によって異常モードに設定されているのか否かを判断する（ステップＳ5）。
【００５１】
ここで、上記ステップＳ2の判断結果が「Ｙｅｓ」になる前の段階では、ウェラブルデバイス１には、図４（ａ）に示すような画像、つまり撮像部１ｃが捉えた異常搬送車Ｈ1の静止画像が初期画像Ｇ1として表示される。そして、ウェラブルデバイス１には、上記ステップＳ3の判断が「Ｎｏ」になった時点で、図４（ｂ）に示すように、マーカＭ1に対応するマーカ画像１ｇに「ネットワーク未接続」という文字が付加画像として重畳された支援画像Ｇ2が表示される。すなわち、この支援画像Ｇ2は、ウェラブルデバイス１（携帯型装置）と搬送制御装置３（据置型装置）との通信接続状態を示す情報を付加画像として含むものである。
【００５２】
そして、演算部１ｆは、上記ステップＳ5の判断が「Ｙｅｓ」の場合、つまり異常搬送車Ｈ1の動作モードが異常モードに設定されている場合、表示部１ｅに異常情報を付加画像として表示させる。一方、演算部１ｆは、上記ステップＳ5の判断が「Ｎｏ」の場合には、表示部１ｅに「搬送中」という付加画像を表示させる（ステップＳ7）。
【００５３】
すなわち、演算部１ｆは、通信部１ａ等を介して搬送制御装置３から異常搬送車Ｈ1（つまり無人搬送車Ｈ1）の搬送情報３ｆを取得することにより、無人搬送車Ｈ1の動作モードが自動走行モードから異常モードに切り替えられて非常停止したことを認知すると、当該認知に基づいて異常情報や「搬送中」という付加画像を生成する。なお、搬送制御装置３の演算部３ｅは、通信部３ａ等を介してウェラブルデバイス１から搬送情報３ｆの提供要求が入力されると、記憶部３ｂから搬送情報３ｆを読み出し、当該搬送情報３ｆを通信部１ａにウェラブルデバイス１に向けて送信させる。
【００５４】
ここで、上記ステップＳ5の判断が「Ｙｅｓ」になった段階では、図４（ｃ）に示すように、マーカＭ1に対応するマーカ画像１ｇに「ＬＧＦ Ｎｏ.１状態：異常、異常名：非常停止」という文字が付加画像として重畳された支援画像Ｇ3が表示される。一方、上記ステップＳ5の判断が「Ｙｅｓ」になる前の段階では、図４（ｄ）に示すように、マーカＭ1に対応するマーカ画像１ｇに「ＬＧＦ Ｎｏ.１状態：自動、搬送状況：搬送中」という文字が付加画像として重畳された支援画像Ｇ4が表示される。
【００５５】
なお、上記「ＬＧＦ Ｎｏ.１状態：異常、異常名：非常停止」という文字（付加画像）は、他の付加画像とは異なる態様、例えば異なる色で表示される。例えば、「ＬＧＦ Ｎｏ.１状態：異常、異常名：非常停止」という文字（付加画像）は、赤色で表示され、他の付加画像は緑色で表示される。このように無人搬送車Ｈ1の異常情報を他とは異なる態様で表示することにより、管理担当者に無人搬送車Ｈ1の状態をより明確に認識させることが可能である。
【００５６】
そして、演算部１ｆは、上記ステップＳ7の処理が完了すると、ウェラブルデバイス１の動作モードが「マイクモード」になっているか否かを判断する（ステップＳ8）。そして、このステップＳ8の判断が「Ｙｅｓ」の場合、図４（ｅ）に示すように、マイクモード中であることを示す「マイク」を付加画像とする支援画像Ｇ5をウェラブルデバイス１に表示させる（ステップＳ9）。
【００５７】
そして、演算部１ｆは、動作モードが「マイクモード」に設定されている状態において、特定の音声（動作指示）が集音部１ｄから入力されたか否かを判断する（ステップＳ10）。そして、演算部１ｆは、このステップＳ10の判断が「Ｙｅｓ」の場合、通信部１ａに上記動作指示に対応した動作要求を搬送制御装置３に送信させる（ステップＳ11）。搬送制御装置３の演算部３ｅは、通信部３ａを介して上記動作要求が入力されると、当該動作要求に基づいて異常搬送車Ｈ1を制御することにより、異常搬送車Ｈ1に動作要求に従った動作を行わせる。上記動作要求は、例えば異常搬送車Ｈ1を特定場所に向けて走行させる走行命令である。
【００５８】
一方、演算部１ｆは、上記ステップＳ10の判断が「Ｎｏ」の場合には、特定の音声（動作指示）が集音部１ｄから入力されると、上述した終了コマンド、つまりウェラブルデバイス１の動作モードを「マイクモード」から「通常モード」に切り替える音声指示が入力されたか否かを判断する（ステップＳ12）。
【００５９】
そして、演算部１ｆは、このステップＳ12の判断が「Ｙｅｓ」の場合、ウェラブルデバイス１の動作モードを「マイクモード」から「通常モード」に切り替える（ステップＳ13）。なお、演算部１ｆは、上記ステップＳ12の判断が「Ｎｏ」の場合には、上述したステップＳ1の処理を繰り返す。
【００６０】
また、演算部１ｆは、上述したステップＳ8の判断が「Ｎｏ」の場合には、上述した開始コマンドが集音部１ｄから入力されたか否かを判断する（ステップＳ14）。そして、演算部１ｆは、このステップＳ14の判断が「Ｙｅｓ」の場合、ウェラブルデバイス１の動作モードを「通常モード」から「マイクモード」に切り替える（ステップＳ15）。なお、演算部１ｆは、上記ステップＳ14の判断が「Ｎｏ」の場合には、上述したステップＳ1の処理を繰り返す。
【００６１】
図５は、上述した初期画像Ｇ1及び各種の支援画像Ｇ2，Ｇ4，Ｇ5の基本遷移を示す模式図である。すなわち、初期画像Ｇ1は、ウェラブルデバイス１がマーカＭ1〜Ｍnの何れかを認識し、かつ、搬送制御装置３との通信接続（通信リンク）が未設定の場合に支援画像Ｇ2に遷移する。一方、初期画像Ｇ1は、ウェラブルデバイス１がマーカＭ1〜Ｍnの何れかを認識し、かつ、通信接続（通信リンク）が設定済みの場合に支援画像Ｇ4に遷移する。
【００６２】
また、上記支援画像Ｇ2及び支援画像Ｇ4は、ウェラブルデバイス１がマーカＭ1〜Ｍnの何れかを認識しなくなると、初期画像Ｇ1に遷移する。また、支援画像Ｇ4は、ウェラブルデバイス１がマーカＭ1〜Ｍnの何れかを認識し、かつ、動作モードがマイクモードである場合に支援画像Ｇ5に遷移する。さらに、当該支援画像Ｇ5は、動作モードがマイクモードから通常モードに切り替わると、支援画像Ｇ4に遷移する。
【００６３】
また、図６は、ウェラブルデバイス１がマーカＭ1〜Ｍnの何れかを認識した後における支援画像Ｇ3〜Ｇ5の遷移を示す模式図である。すなわち、支援画像Ｇ4は、ウェラブルデバイス１がｎ台の無人搬送車Ｈ1〜Ｈnの何れかの異常発生を認識すると、支援画像Ｇ3に遷移し、一方、ウェラブルデバイス１の動作モードがマイクモードに設定されている場合には、支援画像Ｇ5に遷移する。また、支援画像Ｇ3は、ｎ台の無人搬送車Ｈ1〜Ｈnの何れかの異常が復旧すると、支援画像Ｇ4に遷移する。さらに、支援画像Ｇ5は、ウェラブルデバイス１の動作モードがマイクモードから通常モードに切り替えられると、支援画像Ｇ4に遷移する。
【００６４】
このような本実施形態に係る機器状態確認システムによれば、搬送設備の管理担当者は、ウェラブルデバイス１を携帯して管理事務所から搬送現場における異常搬送車Ｈ1の停止位置まで移動し、ウェラブルデバイス１を自らの頭部に装着することにより、異常搬送車Ｈ1の停止位置に居ながらにして異常搬送車Ｈ1の動作状態を容易に確認することができる。
【００６５】
すなわち、本実施形態に係る機器状態確認システムによれば、従来のように搬送現場と管理事務所の間を往復することなく、異常搬送車Ｈ1の動作状態を容易に確認することができるので、管理担当者が異常搬送車Ｈ1の動作状態を確認して当該異常搬送車Ｈ1を正常な搬送作業に復旧させる際の作業効率を従来よりも向上させることができる。
【００６６】
なお、本発明は上記実施形態に限定されるものではなく、例えば以下のような変形例が考えられる。
（１）上記実施形態では、本発明を搬送設備、特に搬送設備の構成機器の１つである無人搬送車Ｈ1〜Ｈnの動作状態の確認に適用した場合について説明したが、本発明は、これに限定されない。本発明は、搬送設備以外の各種設備や各種機器の動作状態の確認に適用することが可能である。また、本発明は、搬送設備における無人搬送車Ｈ1〜Ｈn以外の構成機器の動作状態の確認に適用することも可能である。
【００６７】
（２）上記実施形態では、ｎ個のマーカＭ1〜Ｍn、ウェラブルデバイス１、ｍ個の無線ＬＡＮアクセスポイントＡＰ1、ＡＰ2〜ＡＰm、ＬＡＮハブ２及び搬送制御装置３を備えるものとして機器状態確認システムを構成したが、本発明はこれに限定されない。例えば、ウェラブルデバイス１にマーカ画像１ｇと搬送情報３ｆとを記憶させることによって搬送制御装置３との連携を必要としない機器状態確認システムを構成してもよい。すなわち、ｎ個のマーカＭ1〜Ｍnとウェラブルデバイス１とで機器状態確認システムを構成してもよい。
【００６８】
（３）上記実施形態では、携帯型装置としてウェラブルデバイス１を採用したが、本発明は、これに限定されない。ウェラブルデバイス１は管理担当者の動きを比較的阻害しないので、管理担当者の作業性を低下させないが、例えば管理担当者が手で把持するタイプの携帯型装置を採用してもよい。
【００６９】
（４）上記実施形態では、マーカ画像１ｇをウェラブルデバイス１に記憶させ、かつ、搬送情報３ｆを搬送制御装置３に記憶させたが、本発明はこれに限定されない。マーカ画像１ｇと搬送情報３ｆとをウェラブルデバイス１に記憶させてもよく、あるいはマーカ画像１ｇと搬送情報３ｆとを搬送制御装置３に記憶させてもよい。
【００７０】
（５）上記実施形態では、ｎ個のマーカＭ1〜Ｍnをｎ台の無人搬送車Ｈ1〜Ｈnに対して固有のものとした。すなわち、ｎ個のマーカＭ1〜Ｍnは、ｎ台の無人搬送車Ｈ1〜Ｈnが構成機器の種別として状態の確認対象である機器であることを示すだけではなく、ｎ台の無人搬送車Ｈ1〜Ｈn（機器）の個体（号機番号）をも示すものである。しかしながら、本発明におけるマーカは、このようなｎ個のマーカＭ1〜Ｍnに限定されず、例えば個体（号機番号）の識別機能を削除したものでもよい。
なお、この場合には、ウェラブルデバイス１のマイクモードを利用することにより、搬送制御装置３に対して取得すべき機器の動作情報の個体を指定することが考えられる。
【００７１】
（６）上記実施形態では、指示入力手段を集音部１ｄ（マイクロフォン）とし、演算部１ｆが集音部１ｄが捉えた音声指示を音声認識することにより搬送制御装置３に異常搬送車Ｈ1に対する動作指示を送信するように構成したが、本発明はこれに限定されない。例えば、携帯型装置（ウェラブルデバイス１）にタッチパネル等の操作部を設け、当該操作部から動作指示を手入力してもよい。また、マイクモードに関する開始コマンドや終了コマンドについても、上記操作部から手入力してもよい。
【００７２】
（７）上記実施形態では、図４〜図６に初期画像Ｇ1及び各種の支援画像Ｇ2〜Ｇ5の一例を示したが、本発明における支援画像は支援画像Ｇ2〜Ｇ5に限定されない。
【符号の説明】
【００７３】
Ｈ1〜Ｈn…無人搬送車（機器）、Ｍ1〜Ｍn…マーカ、ＡＰ1、ＡＰ2〜ＡＰm…無線ＬＡＮアクセスポイント、１…ウェラブルデバイス（携帯型装置）、１ａ…通信部、１ｂ…記憶部、１ｃ…撮像部（携帯型撮像装置）、１ｄ…集音部（指示入力手段）、１ｅ…表示部（携帯型表示装置）、１ｆ…演算部、２…ＬＡＮハブ、３…搬送制御装置（据置型装置）、３ａ…通信部、３ｂ…記憶部（記憶装置）、３ｃ…操作部、３ｄ…表示部、３ｅ…演算部
【要約】
【課題】機器状態を確認する際の作業効率を向上させる。
【解決手段】状態の確認対象である機器に設けられたマーカと、該マーカを撮像してマーカ画像を出力する携帯型撮像装置と、機器の動作情報を記憶する記憶装置と、マーカ画像に基づいて機器を特定し、当該特定された機器（特定機器）の動作情報を記憶装置から読み出して支援情報として提供する支援情報提供装置と、支援情報を表示する携帯型表示装置とを具備する。
【選択図】図１【図１】
0005872652.tif 000002
【図２】
0005872652.tif 000003
【図３】
0005872652.tif 000004
【図４】
0005872652.tif 000005
【図５】
0005872652.tif 000006
【図６】
0005872652.tif 000007